(57)【要約】  通信ネットワークへの接続を要求するユーザ装置からの接続要求を受理するか否かを判断する方法を記載する。本方法は、ユーザ装置から接続要求を受信することを含み、該接続要求は所定の識別子を含む。次に、ユーザ装置に関連付けられる能力情報を要求するメッセージを生成して送信し、応答において能力情報を受信する。本方法は、能力情報に基づいて、ユーザ装置への接続を許可するか否かを判断すること、及び、該判断に基づいて、接続を解放若しくは拒絶するか、又は確立するためのメッセージを送信することをさらに含む。ｅＮｏｄｅＢ、ゲートウェイ、及びユーザ装置を含む、本方法を実施するための装置も記載し、これらの構成要素を操作する対応する方法を提供する。
2011517513.tif 000002
【特許請求の範囲】
【請求項１】
通信ネットワークへの接続を要求するユーザ装置からの接続要求を受理するか否かを判断する方法であって、
前記ユーザ装置から、所定の識別子を含む接続要求を受信すること、
前記ユーザ装置に関連付けられる能力情報を要求するメッセージを生成すること、
前記ユーザ装置に関連付けられる能力情報を要求する前記メッセージを送信すること、
前記ユーザ装置に関連付けられる前記能力情報を受信すること、
前記能力情報に基づいて、前記ユーザ装置への接続を許可するか否かを判断すること、及び、
前記接続を許可するか否かの判断に基づいて、前記接続を解放若しくは拒絶するか、又は前記接続を確立するためのメッセージを送信すること、
を含む、方法。
【請求項２】
前記能力情報を要求する前記メッセージは、接続セットアップメッセージが前記ユーザ装置に送信される前に送信される、請求項１に記載の方法。
【請求項３】
前記能力情報を要求する前記メッセージを送信することは、該メッセージを前記通信ネットワーク内のゲートウェイ構成要素に送信することを含む、請求項１又は２に記載の方法。
【請求項４】
前記能力情報を要求する前記メッセージを送信することは、該能力情報の要求を組み込んだ接続セットアップメッセージを生成すること、及び該接続セットアップメッセージを前記ユーザ装置に送信することを含む、請求項１に記載の方法。
【請求項５】
前記ユーザ装置への接続を許可するか否かを判断することは、確立された前記ユーザ装置への接続を解放するか否かを判断することを含む、請求項４に記載の方法。
【請求項６】
前記ユーザ装置に関連付けられる前記能力情報に基づいて、該ユーザ装置が接続すべき代替の通信ネットワークを決定することをさらに含む、請求項１〜５のいずれか一項に記載の方法。
【請求項７】
前記代替の通信ネットワークへの接続ポイントの識別子を前記ユーザ装置に送信することをさらに含む、請求項６に記載の方法。
【請求項８】
前記接続を確立するためのメッセージを送信することは、接続セットアップメッセージを前記ユーザ装置に送信することを含む、請求項１〜７のいずれか一項に記載の方法。
【請求項９】
前記接続を確立するためのメッセージを送信することは、接続セットアップメッセージを前記通信ネットワーク内のゲートウェイ構成要素に送信することを含む、請求項１〜８のいずれか一項に記載の方法。
【請求項１０】
前記ユーザ装置への接続を許可するか否かを判断することは、該ユーザ装置への該接続の前記確立を完了するか否かを判断することを含む、請求項１〜９のいずれか一項に記載の方法。
【請求項１１】
前記ユーザ装置への接続を許可するか否かを判断することは、
前記ユーザ装置が前記通信ネットワークに接続することが可能であるか否かを判断すること、
前記ユーザ装置が前記通信ネットワークに接続することを許可されるか否かを判断すること、及び
前記通信ネットワークが、前記ユーザ装置によって要求されたサービスを提供するか否かを判断すること、
のうちの少なくとも１つを含む、請求項１〜１０のいずれか一項に記載の方法。
【請求項１２】
前記所定の識別子は、接続要求メッセージを請求項１に記載の方法に従って処理すべきであることを示す識別子を含む、請求項１〜１１のいずれか一項に記載の方法。
【請求項１３】
前記所定の識別子は、接続要求メッセージが所定の確立理由に関連することを示す識別子を含む、請求項１〜１２のいずれか一項に記載の方法。
【請求項１４】
前記確立理由は、回路交換呼、好ましくは移動機発信回路交換呼又は移動機着信回路交換呼を含む、請求項１３に記載の方法。
【請求項１５】
通信ネットワークにおいて、ユーザ装置からの接続要求を受理するか否かを判断するように動作可能な基地局であって、
前記ユーザ装置から、所定の識別子を含む接続要求を受信する手段と、
前記ユーザ装置に関連付けられる能力情報を要求するメッセージを生成する手段と、
前記ユーザ装置に関連付けられる能力情報を要求する前記メッセージを送信する手段と、
前記ユーザ装置に関連付けられる前記能力情報を受信する手段と、
前記能力情報に基づいて、前記ユーザ装置への接続を許可するか否かを判断する手段と、
前記接続を許可するか否かの判断に基づいて、前記接続を解放若しくは拒絶するか、又は前記接続を確立するためのメッセージを送信する手段と、
を備える、基地局。
【請求項１６】
前記能力情報を要求する前記メッセージは、接続セットアップメッセージが前記ユーザ装置に送信される前に送信される、請求項１５に記載の基地局。
【請求項１７】
前記能力情報を要求する前記メッセージを送信する手段は、該メッセージを前記通信ネットワーク内のゲートウェイ構成要素に送信する手段を含む、請求項１５又は１６に記載の基地局。
【請求項１８】
前記能力情報を要求する前記メッセージを送信する手段は、該能力情報の要求を組み込んだ接続セットアップメッセージを生成する手段と、該接続セットアップメッセージを前記ユーザ装置に送信する手段とを含む、請求項１５に記載の基地局。
【請求項１９】
前記ユーザ装置への接続を許可するか否かを判断する手段は、確立された前記ユーザ装置への接続を解放するか否かを判断する手段を含む、請求項１８に記載の基地局。
【請求項２０】
前記ユーザ装置に関連付けられる前記能力情報に基づいて、該ユーザ装置が接続すべき代替の通信ネットワークを決定する手段をさらに備える、請求項１５〜１９のいずれか一項に記載の基地局。
【請求項２１】
前記代替の通信ネットワークへの接続ポイントの識別子を前記ユーザ装置に送信する手段をさらに含む、請求項１５〜２０のいずれか一項に記載の基地局。
【請求項２２】
前記接続を確立するためのメッセージを送信する手段は、接続セットアップメッセージを前記ユーザ装置に送信する手段を含む、請求項１５〜２１のいずれか一項に記載の基地局。
【請求項２３】
前記接続を確立するためのメッセージを送信する手段は、接続セットアップメッセージを前記通信ネットワーク内のゲートウェイ構成要素に送信する手段を含む、請求項１５〜２２のいずれか一項に記載の基地局。
【請求項２４】
前記ユーザ装置への接続を許可するか否かを判断する手段は、該ユーザ装置への該接続の前記確立を完了するか否かを判断する手段を含む、請求項１５〜２３のいずれか一項に記載の基地局。
【請求項２５】
前記ユーザ装置への接続を許可するか否かを判断する手段は、
前記ユーザ装置が前記通信ネットワークに接続することが可能であるか否かを判断する手段と、
前記ユーザ装置が前記通信ネットワークに接続することを許可されるか否かを判断する手段と、
前記通信ネットワークが、前記ユーザ装置によって要求されたサービスを提供するか否かを判断する手段と、
のうちの少なくとも１つを含む、請求項１５〜２４のいずれか一項に記載の基地局。
【請求項２６】
前記所定の識別子は、接続要求メッセージを請求項１に記載の方法に従って処理すべきであることを示す識別子を含む、請求項１５〜２５のいずれか一項に記載の基地局。
【請求項２７】
前記所定の識別子は、接続要求メッセージが所定の確立理由に関連することを示す識別子を含む、請求項１５〜２６のいずれか一項に記載の基地局。
【請求項２８】
前記確立理由は、回路交換呼、好ましくは移動機発信回路交換呼又は移動機着信回路交換呼を含む、請求項２７に記載の基地局。
【請求項２９】
通信ネットワークにおいて、ユーザ装置からの接続要求を受理するか否かを判断するように動作可能な基地局であって、
前記ユーザ装置から、所定の識別子を含む接続要求を受信する受信機と、
前記ユーザ装置に関連付けられる能力情報を要求するメッセージを生成するプロセッサと、
前記ユーザ装置に関連付けられる能力情報を要求する前記メッセージを送信する送信機と、
前記ユーザ装置に関連付けられる前記能力情報を受信する受信機と、
前記能力情報に基づいて、前記ユーザ装置への接続を許可するか否かを判断するプロセッサと、
前記接続を許可するか否かの判断に基づいて、前記接続を解放若しくは拒絶するか、又は前記接続を確立するためのメッセージを送信する送信機と、
を備える、基地局。
【請求項３０】
通信ネットワークにおいて、ユーザ装置から基地局への接続の確立を要求する方法であって、
前記基地局において接続要求メッセージとして、前記基地局を介して前記通信ネットワークに接続するという要求と、該接続要求メッセージが所定の確立理由に関連することを示す識別子とを含む、接続要求メッセージを生成すること、及び
前記通信ネットワークにおいて、前記接続要求メッセージを前記基地局に送信すること、
を含む、方法。
【請求項３１】
前記確立理由は、回路交換呼、好ましくは移動機発信回路交換呼又は移動機着信回路交換呼を含む、請求項３０に記載の方法。
【請求項３２】
前記基地局から能力情報の要求を受信すること、
前記ユーザ装置に関連付けられる前記能力情報を取り出すこと、及び
前記能力情報を前記基地局に送信すること、
をさらに含む、請求項３０又は３１に記載の方法。
【請求項３３】
前記基地局から接続解放メッセージを受信することをさらに含む、請求項３０〜３２のいずれか一項に記載の方法。
【請求項３４】
前記接続解放メッセージから、前記ユーザ装置が接続すべき代替の通信ネットワークの識別子を抽出することをさらに含む、請求項３０〜３３のいずれか一項に記載の方法。
【請求項３５】
前記接続解放メッセージは、前記ユーザ装置が接続すべき前記代替の通信ネットワークへの接続ポイントの識別子を含む、請求項３０〜３４のいずれか一項に記載の方法。
【請求項３６】
前記代替の通信ネットワークへの接続を要求することをさらに含む、請求項３４又は３５に記載の方法。
【請求項３７】
通信ネットワークにおいて、基地局への接続の確立を要求するように動作可能なユーザ装置であって、
前記基地局において接続要求メッセージとして、前記基地局を介して前記通信ネットワークに接続するという要求と、該接続要求メッセージが所定の確立理由に関連することを示す識別子とを含む、接続要求メッセージを生成する手段と、
前記通信ネットワークにおいて、前記接続要求メッセージを前記基地局に送信する手段と、
を備える、ユーザ装置。
【請求項３８】
前記確立理由は、回路交換呼、好ましくは移動機発信回路交換呼又は移動機着信回路交換呼を含む、請求項３７に記載のユーザ装置。
【請求項３９】
前記基地局から能力情報の要求を受信する手段と、
前記ユーザ装置に関連付けられる前記能力情報を取り出す手段と、
前記能力情報を前記基地局に送信する手段と、
をさらに備える、請求項３７又は３８に記載のユーザ装置。
【請求項４０】
前記基地局から接続解放メッセージを受信する手段をさらに備える、請求項３７〜３９のいずれか一項に記載のユーザ装置。
【請求項４１】
前記接続解放メッセージから、前記ユーザ装置が接続すべき代替の通信ネットワークの識別子を抽出する手段をさらに備える、請求項３７〜４０のいずれか一項に記載のユーザ装置。
【請求項４２】
前記接続解放メッセージから、前記ユーザ装置が接続すべき代替の通信ネットワークへの接続ポイントの識別子を抽出する手段をさらに備える、請求項３７〜４１のいずれか一項に記載のユーザ装置。
【請求項４３】
前記代替の通信ネットワークへの接続を要求する手段をさらに備える、請求項４１又は４２に記載のユーザ装置。
【請求項４４】
通信ネットワークにおいて、基地局への接続の確立を要求するように動作可能なユーザ装置であって、
前記基地局において接続要求メッセージとして、前記基地局を介して前記通信ネットワークに接続するという要求と、該接続要求メッセージが所定の確立理由に関連することを示す識別子とを含む、接続要求メッセージを生成するプロセッサと、
前記通信ネットワークにおいて、前記接続要求メッセージを前記基地局に送信する送信機と、
を備える、ユーザ装置。
【請求項４５】
通信ネットワークにおいて、ユーザ装置に関する能力情報を提供する方法であって、
基地局から、前記ユーザ装置に関連付けられる前記能力情報の要求を受信すること、
前記ユーザ装置に関連付けられる前記能力情報を取得すること、及び
前記ユーザ装置に関連付けられる前記能力情報を前記基地局に送信すること、
を含む、方法。
【請求項４６】
前記基地局から、前記ユーザ装置への接続の確立を要求する接続要求メッセージを受信することをさらに含む、請求項４５に記載の方法。
【請求項４７】
前記能力情報の要求は、初期ＵＥメッセージの一部分を形成しない、請求項４５又は４６に記載の方法。
【請求項４８】
通信ネットワークにおいて、ユーザ装置に関する能力情報を提供するゲートウェイ構成要素であって、
基地局から、前記ユーザ装置に関連付けられる前記能力情報の要求を受信する手段と、
前記ユーザ装置に関連付けられる前記能力情報を取得する手段と、
前記ユーザ装置に関連付けられる前記能力情報を前記基地局に送信する手段と、
を備える、ゲートウェイ構成要素。
【請求項４９】
通信ネットワークにおいて、ユーザ装置に関する能力情報を提供するゲートウェイ構成要素であって、
基地局から、前記ユーザ装置に関連付けられる前記能力情報の要求を受信する受信機と、
前記ユーザ装置に関連付けられる前記能力情報を取得するプロセッサと、
前記ユーザ装置に関連付けられる前記能力情報を前記基地局に送信する送信機と、
を備える、ゲートウェイ構成要素。
【発明の詳細な説明】
【技術分野】
【０００１】
本発明は、通信ネットワーク、限定ではないが例えば、３ＧＰＰ標準規格、又は３ＧＰＰ標準規格と同等の規格若しくは３ＧＰＰ標準規格から派生した規格に従って動作するネットワークにおけるシグナリングに関する。
【０００２】
本出願は、２００８年３月２０日付けで出願された英国特許出願第０８０５３２０．９号、及び２００８年３月２５日付けで出願された英国特許出願第０８０５４３５．５号に基づくと共に、それらの特許出願からの優先権の利益を主張するものである。これらの特許出願の開示は参照により本明細書に援用される。
【背景技術】
【０００３】
通信ネットワークでは、ネットワーク内の構成要素又はノード間に接続が確立される。詳細には、移動通信デバイスのようなユーザ機器（ＵＥ）と、基地局（ｅＮｏｄｅＢ又はｅＮＢ）構成要素との間に接続が確立される。ｅＮＢ構成要素と、コアネットワーク内の移動管理エンティティ（ＭＭＥ）装置のようなゲートウェイ装置との間でさらなる接続が提供される。これらの接続は、ネットワーク内の装置間で接続要求メッセージ及び接続確認メッセージの交換を使用して確立される。
【０００４】
幾つかの状況において、ＵＥに複数の異なるサービスを提供する複数の異なるネットワークタイプ、例えばＥ−ＵＴＲＡＮネットワーク、ＵＴＲＡＮネットワーク、及びＧＥＲＡＮネットワークが利用可能である場合がある。ＵＥが接続するのに最も適したネットワークは、ＵＥの能力及び要求されたサービスに依拠し得る。
【０００５】
ＵＥが接続すべきネットワークを決定するための１つの手順を以下に示す。本明細書において説明されるシステム及び方法は、サービスベースのリダイレクションのための単純化されたメカニズムを提供する。
【０００６】
通信ネットワークにおいて適用可能な種々の頭字語は、当然、当業者には既知であるが、一般の読者の便宜を図るために用語集が添付される。当業者が効率的に理解できるようにするために、本発明をＥ−ＵＴＲＡＮシステムとの関連で詳細に説明するが、識別子システムの原理は、ユーザが基地局構成要素及びゲートウェイ装置を介してネットワークサービスにアクセスする他のシステム、例えば３Ｇ、ＣＤＭＡ、又は他の無線システムに適用することができる。それらのシステムは必要に応じて該システムの対応する構成要素が変更されている。本発明の方法及びシステムは、無線ローカルエリアネットワーク（ＷＬＡＮ）又は他のローカルエリアネットワーク（ＬＡＮ）若しくはワイドエリアネットワーク（ＷＡＮ）において実現することもできる。
【発明の概要】
【０００７】
本発明の態様が独立請求項において示され、好ましい特徴が従属請求項において示される。本システム及び方法のさらなる態様は、下記に示される一実施の形態の説明から明らかであろう。本発明は、開示される全ての方法に対して、対応する機器上で実行するための対応するコンピュータプログラム又はコンピュータプログラム製品と、機器そのもの（記載の方法を実行するためのゲートウェイノード及び基地局ノードを含む、ユーザ機器、ノード、ネットワーク、又はその構成要素）と、その機器を構成及び更新する方法とを提供する。１つの態様の特徴を、他の態様にも当てはめることができる。
【図面の簡単な説明】
【０００８】
ここで、本明細書において特許請求される方法及びシステムの実施形態を、例として、添付の図面を参照して説明する。
【０００９】
【図１】実施形態が適用可能であるタイプの移動通信システムの一部分の概略図である。
【図２】実施形態が適用可能である第２のタイプの移動通信システムの一部の概略図である。
【図３】一実施形態によるＥ−ＵＴＲＡＮからＵＴＲＡＮ／ＧＥＲＡＮへのリダイレクション手順を示す図である。
【図４】一実施形態によるリダイレクション方法を示す図である。
【図５】さらなる一実施形態によるリダイレクション方法を示す図である。
【図６】図１の基地局のうちの１つの構成要素を示す図である。
【図７】図１の移動電話のうちの１つの構成要素を示すブロック図である。
【発明を実施するための形態】
【００１０】
図１は、移動（セルラー）通信システム１を概略的に示しており、そのシステムでは、移動（又はセルラー）電話（ＭＴ）３−０、３−１、及び３−２のユーザが、基地局５−１、５−２、又は５−３のうちの１つ及び電話網７を介して、他のユーザ（図示せず）と通信することができる。電話網７は、ゲートウェイ構成要素９−１、９−２を含む複数の構成要素を含む。各基地局５−１、５−２、５−３がいずれかのゲートウェイ９−１、９−２を介して電話網７に接続する場合があること、及び全ての基地局５−１、５−２、５−３が同じゲートウェイ９−１、９−２を介して接続する場合があることは当業者には理解されよう。同様に、各移動電話３はいずれかの基地局５を介して電話網７に接続する場合があり、全ての移動電話３が同じ基地局５を介して接続する場合がある。１つ又は複数の基地局５は、無線ネットワークコントローラ（ＲＮＣ）によって制御される無線アクセスネットワーク（ＲＡＮ）内に構成される場合があり、ＲＮＣは、ＲＡＮ内の基地局５の一部として実装される場合があるか、又は別個の構成要素（図示せず）として実装される場合がある。
【００１１】
移動電話３が、例えば、電源を入れることによって電話網７に入ると、移動電話３と基地局５との間に、且つ基地局５とゲートウェイデバイス９との間に接続が確立される。これにより、移動電話３と電話網７内の他の構成要素との間での通信が可能になる。
【００１２】
Ｅ−ＵＴＲＡＮプロトコルネットワークは、ＵＴＲＡＮネットワークのＬＴＥすなわちロングタームエボリューションとも呼ばれる場合がある。
【００１３】
図２は、移動（又はセルラー）電話（ＭＴ）２１０−１、２１０−２、及び２１０−３（ユーザ装置又はユーザ機器（ＵＥ）と呼ばれる場合がある）のユーザが、基地局２１２−１、２１２−２、及び２１２−３（ＮｏｄｅＢ又はＮＢと呼ばれる場合がある）のうちの１つを介して他のユーザ（図示せず）と通信することができる、ＵＴＲＡＮプロトコルに従う移動（セルラー）通信システム２を概略的に示している。基地局のそれぞれは、ネットワークコントローラ２１４−１、２１４−２、又はＲＮＣ（無線ネットワークコントローラ）に関連付けられ、そしてネットワークコントローラ２１４−１、２１４−２、又はＲＮＣは、電話網２１８又はコアネットワーク（ＣＮ）に接続される。一実施形態のＳＧＳＮにおいて、電話網２１８は、ゲートウェイ構成要素２１６−１、２１６−２を含む複数の構成要素を備える。
【００１４】
ＵＴＲＡＮネットワークでは、ＵＥのハンドオーバは基地局間でも実施される場合がある。ＵＴＲＡＮネットワークにおける基地局間のＵＥのハンドオーバは、ネットワーク内のコントローラ間のハンドオーバ、及びネットワーク内のゲートウェイ構成要素間のハンドオーバも伴う場合がある。
【００１５】
ＵＴＲＡＮプロトコルネットワークは、ＵＭＴＳネットワーク（ユニバーサル移動通信システムネットワーク）とも称される場合がある。
【００１６】
通信ネットワークの各タイプは、無線アクセス技術（ＲＡＴ）と呼ばれる場合がある。
【００１７】
当業者であれば、各タイプのネットワークが、より少ないネットワーク構成要素又はさらなるネットワーク構成要素を含む場合があり、図１及び図２はいかなる形においても限定的であることを意図していないことを理解するであろう。
【００１８】
ユーザ装置からの接続を、Ｅ−ＵＴＲＡＮからＵＴＲＡＮにリダイレクトすることを可能にする１つの理由は、オペレータのネットワークにおけるＬＴＥの導入が、特定のオペレータのネットワークにおいて全てのサービスが始めからＬＴＥアクセスを介して提供されることを必ずしも意味するわけではないということである。例えば、ボイスサービスは、ＬＴＥ配備の柔軟性を制限する場合があるため、Ｅ−ＵＴＲＡＮにおいて始めに提供されていない場合がある。
【００１９】
特許請求されるＲＡＴ間ハンドオーバシステムによって提供することができる他の利点は、異なるＲＡＴ間でのネットワーク共有、トラフィック負荷分散、ソースＲＡＴにおける無線状態劣化及び加入／ポリシーに基づく移動制御を含む。
【００２０】
ここで、サービスベースのリダイレクション手順を、図３を参照してより詳細に説明する。
【００２１】
ＵＥ３１０は、無線資源制御（ＲＲＣ）接続要求メッセージをｅＮＢ３１２に送信し、ｅＮＢ３１２はＲＲＣ接続セットアップメッセージを用いて返答する。ｅＮＢ３１２は、ＲＲＣ接続要求メッセージ内の”確立理由（establishment cause）”識別子から、ＵＥ３１０によって要求されたサービスを確定する。ＵＥ３１０は、ＲＲＣ接続セットアップメッセージを受信すると、サービス要求メッセージを含むＲＲＣ接続セットアップ完了メッセージをｅＮＢ３１２に送信する。
【００２２】
次に、ｅＮＢ３１２は初期ＵＥメッセージをＭＭＥ３１４に送信して、ＵＥ３１０のＭＭＥ３１４までの接続を要求する。ＭＭＥ３１４は、初期コンテキストセットアップ要求メッセージを用いてｅＮＢ３１２に返答する。初期コンテキストセットアップ要求メッセージは、ＵＥ３１０の能力の詳細を含む。ｅＮＢ３１２は、ＭＭＥ３１４から受信した能力情報、例えばベアラレベルＱｏＳパラメータに基づいて、ＵＥ３１０に提供することを要求されたサービスを確定することができる。
【００２３】
ＵＥ３１０は、ネットワークへの初期アタッチ又は追跡エリア更新時に、自身の能力をＭＭＥ３１４に送信する。これらはＭＭＥ３１４内に記憶され、接続確立時にｅＮＢ３１２にダウンロードされる。結果として、ＵＥ３１０はＲＲＣ接続セットアップ手順のたびに該手順の一部として自身の能力を送信する必要がなくなる。
【００２４】
ｅＮＢ３１２は、受信したＵＥ能力情報及びＵＥ３１０によって要求されたサービスに基づいて、リダイレクションが必要か否かを判断する。リダイレクションが一切必要でない場合、ＵＥ及びｅＮＢは、ネットワークへのＵＥの接続を完了する。
【００２５】
リダイレクションが必要である場合、ｅＮＢ３１２は、リダイレクション情報を含むＲＲＣ接続解放メッセージをＵＥ３１４に送信する。リダイレクション情報は、例えば、ＵＥが要求したサービスを得るために接続すべきＵＴＲＡＮネットワークの周波数である。
【００２６】
ｅＮＢ３１２はまた、ＭＭＥにおける資源を解放するためのＵＥコンテキスト解放要求をＭＭＥ３１４に送信する。
【００２７】
ＵＥ３１０は、ｅＮＢ３１２からＲＲＣ接続解放メッセージを受信し、該メッセージからＵＴＲＡＮ周波数を抽出する。次に、ＵＥ３１０はＵＴＲＡＮネットワークに関するシステム情報を取得する。
【００２８】
一実施形態では、例えばネットワーク支援セル変更（ＮＡＣＣ）手順を使用して、ＵＴＲＡＮネットワーク内のターゲットセルに関連するさらなる情報をｅＮＢからＵＥに送信して代替のネットワークへの接続を容易にすることができる。
【００２９】
幾つかのケースでは、代替のネットワークは、ＵＴＲＡＮネットワークではなくＧＥＲＡＮネットワークとすることができる。この実施形態では、ＮＡＣＣ手順を使用して、ＲＲＣ接続解放手順を、ターゲットＧＥＲＡＮセルのシステム情報を含むように向上させることができる。
【００３０】
ＵＥ３１０は、セル選択手順を実施し、関連システム情報を得て、次に新たなＲＣＣ接続要求メッセージを代替のネットワークの基地局３１６に送信する。代替のネットワークの基地局３１６は、例えば、無線ネットワークコントローラ（ＲＮＣ）、基地局コントローラ（ＢＳＣ）、又は基地送受信局（ＢＴＳ）である。特にＧＥＲＡＮ接続の場合、関連するシステム情報は、ＮＡＣＣ手順を介してｅＮＢ３１２において既に利用可能である場合があるため、そこからＵＥ３１０が必要な情報を得ることができることに留意されたい。
【００３１】
ＲＮＣ／ＢＳＣ３１６は、ＲＲＣ接続要求メッセージを受信すると、ＲＲＣ接続セットアップメッセージを用いてＵＥ３１０に応答する。ＵＥ３１０は、ＲＲＣ接続セットアップ完了メッセージを用いて返答し、ＲＮＣ／ＢＳＣ３１６への接続を完了する。
【００３２】
次に、ＵＥ３１０は、ＵＴＲＡＮ回路交換（ＣＳ）領域、より詳細には、在圏移動交換局（ＶＭＳＣ）３１８へのアタッチ手順を実施し、ＵＥとＮＷノード（すなわちＭＳＣ）との間でＣＭ（接続管理）セットアップ及び無線ベアラセットアップを実施する。そして、ＵＥ３１０は接続され、要求したサービスにアクセスすることができる。
【００３３】
しかしながら、この方法に関連付けられる問題は、ｅＮＢ３１２が、サービスがそのネットワークによって提供され得るか、又はリダイレクションが必要かを判断する前に、接続セットアップ手順全体が、ＵＥ３１０とｅＮＢ３１２との間で開始されることである。これによって、ＵＥ３１０が要求したサービスにアクセスすることができるまでの時間が増大し、ｅＮＢのネットワークにおける処理電力及び帯域幅のようなネットワーク資源を無駄にするかもしれない。
【００３４】
図４は、サービスリダイレクションのための代替的なプロセスの１つの実施形態を示している。この実施形態では、ｅＮＢ３１２は、ＵＥ３１０からＲＲＣ接続要求メッセージを受信すると、ＵＥ能力要求メッセージをＭＭＥ３１４に送信する。ｅＮＢ３１２は、ＭＭＥ３１４からＵＥ能力要求メッセージを受信し、該ＵＥ能力要求メッセージから、ＵＥ３１０によって要求されたサービスがそのネットワークから最も良好に提供されるか、又は別のネットワークに対するリダイレクションが好ましいかを判断することができる。
【００３５】
ＵＥ３１０がリダイレクトされる場合、ｅＮＢ３１２はＲＲＣ接続拒否メッセージをＵＥ３１０に送信して、接続要求を拒否することができる。このため、リダイレクションが実施される場合、提案される手順においてＵＥ３１０からｅＮＢ３１２への接続は確立されない。
【００３６】
好ましくは、ＵＥからｅＮＢへの接続要求メッセージを知らせる（flag）ために、要求メッセージ内で所定の接続確立理由が特定されたＲＲＣ接続要求メッセージがＵＥによって生成される。本実施形態において、確立理由は、”ＭＯ ＣＳ呼”（移動機発信回路交換呼）又は”ＭＴ ＣＳ呼”（移動機着信回路交換呼）として示される。他の特定の識別子を使用して、ＵＥに、本明細書において説明される手順に従って動作させることもできる。代替的に、ｅＮＢは、本プロセスに従って、ＵＥからの全ての接続要求に対処することができる。
【００３７】
ｅＮＢがＵＥ能力情報を要求すべき適切なＭＭＥは、好ましくはＳ−ＴＭＳＩ（一時的な移動局アイデンティティ）を使用してＲＲＣ接続要求メッセージ内で特定される。（”Ｓ”は、このＴＭＳＩがＬＴＥ／ＳＡＥ（システムアーキテクチャエボリューション）ネットワークによって割り当てられたことを識別するのに使用される。)
【００３８】
次に、ｅＮＢは、本明細書において説明されると共に図４に示される新たなＵＥ Ｓ１能力要求手順を使用してＭＭＥからＵＥ能力情報を得ることができる。ＵＥ能力情報は、ＵＥに関する無線アクセス技術間（ＩＲＡＴ）能力情報とすることができる。次に、ｅＮＢは、ＲＲＣ接続拒否メッセージ内で送信される情報を使用して、ＵＥに、適切な無線アクセス技術（ＲＡＴ）又はネットワークを指示することができる。
【００３９】
図３及び図４の比較から理解されるように、図４のプロセスは、ＵＥがリダイレクトされる場合に、ＵＥとｅＮＢとの間に接続が確立されないため、特にＵＥ３１０とｅＮＢ３１２との間の処理ステップ及びメッセージ交換の数を節約する。これによって、ＵＥへの不必要な接続によって資源が取られることがないため、ｅＮＢにおけるネットワーク資源も節約することができる。
【００４０】
図５は、ｅＮＢ５１２がＵＥ５１０のリダイレクションが必要であるか否かを判断することを可能にするための代替的なシステムの一実施形態を示している。図４に関連して説明した手順と同様に、ＵＥ５１０は、ＲＲＣ接続要求メッセージ５１４における確立理由として、所定の識別子、例えば”ＭＯ ＣＳ呼”又は”ＭＴ ＣＳ呼”を使用する。
【００４１】
ｅＮＢ５１２からＵＥ５１０に送信されるＲＲＣ接続セットアップメッセージ５１６内の識別子を使用して、ｅＮＢ５１２にＵＥ能力情報を提供することをＵＥに要求する。ＵＥ５１０は、ＲＲＣ接続セットアップ完了メッセージ５１８において、ＵＥ能力情報（ＵＥ ＲＡＴ間能力）をｅＮＢ５１２に送信する。リダイレクションが一切必要でない場合、ｅＮＢ５１２は接続手順を継続し、適切なＭＭＥに対するメッセージを生成する。リダイレクションが必要である場合、ｅＮＢ５１２はＲＲＣ接続解放メッセージ５２０をＵＥ５１０に送信し、接続を解放する。
【００４２】
したがって、この実施形態において、ｅＮＢは、ＭＭＥと通信することなく、リダイレクションが必要であるか否かを定める。したがって、ＭＭＥはメッセージを処理及び生成する必要もなく、次に他の場所にリダイレクトされるＵＥに関する情報を参照する必要もないため、コアネットワークにおけるネットワーク資源が節約される。
【００４３】
当業者であれば、図４及び図５に示される２つの方法が、異なる状況において適切であり得ることを理解するであろう。任意の特定のネットワークにおいて、一方の方法を限定的に又はデフォルトで使用してもよい。代替的に、ＵＥ又はｅＮＢによって、接続要求時に適切な方法を選択してもよい。
【００４４】
図４に示す方法は、例えば、ＵＥとｅＮＢとの間の無線インタフェースにわたる帯域幅が、低速であるか、コストが高いか、若しくは制限されている場合、又はＵＥがｅＮＢからの能力要求に応答することができない場合に適切であり得る。
【００４５】
図５に示す方法は、ネットワークオペレータが、コアネットワーク内の資源を維持することを所望する場合、又はＭＭＥが特定のＵＥ若しくはＵＥ群に関する能力情報を保持していない場合に適切であり得る。
【００４６】
一方の方法を、第１の所望の方法が成功しなかった場合に能力情報を決定するためのバックアップ又は代替的な手順として使用することができることが理解されよう。例えば、図４に示すように、ｅＮＢは、ＭＭＥに対してＵＥ能力情報を要求することができる。能力情報が利用可能でないか、又はＭＭＥが情報要求を拒否する場合、ｅＮＢは図５に示す手順に従ってＵＥに対して情報を要求することができる。
【００４７】
図６は、図１に示すと共に、本発明の一実施形態において使用される基地局５のうちの１つの主要構成要素を示すブロック図である。図示されるように、基地局５は、１つ又は複数のアンテナ２３を介して移動電話３に対して信号を送受信するように動作可能であると共に、ネットワークインタフェース２５を介して電話網７（図１）に対し信号を送受信するように動作可能なトランシーバ回路２１を備える。トランシーバ回路２１の動作は、メモリ２９内に格納されているソフトウェアに従って、コントローラ２７によって制御される。ソフトウェアは、中でも、オペレーティングシステム３１と能力処理モジュール３３とを備える。能力処理モジュール３３は、移動電話を接続する能力に関連する情報を要求すると共に、この情報を処理するように動作可能である。図３に示すように、ソフトウェアは、能力情報に基づいて接続の確立を許可するか否かを判断すると共に、要求された接続の確立又は拒否を容易にするための接続確立モジュール３５も備える。
【００４８】
図７は、図１に示す移動電話３のうちの１つの主要構成要素を示すブロック図である。
【００４９】
図７は、一実施形態による、図１に示す移動電話３のそれぞれの主要構成要素を概略的に示している。図示されるように、移動電話３は、１つ又は複数のアンテナ７３を介して基地局５（図１）に対して信号を送受信するように動作可能なトランシーバ回路７１を備える。図示されるように、移動電話３は、移動電話３の動作を制御すると共に、トランシーバ回路７１、並びにスピーカ７７、マイクロフォン７９、ディスプレイ８１、及びキーパッド８３に接続されたコントローラ７５も備える。コントローラ７５は、メモリ８５内に格納されているソフトウェア命令に従って動作する。図示されるように、これらのソフトウェア命令は、中でも、オペレーティングシステム８７及び接続要求モジュール８９を含む。接続要求モジュール８９は、ネットワーク内の基地局構成要素へ送信するための接続要求メッセージを生成するように動作可能であり、該接続要求メッセージは、本明細書において説明されるような所定の識別子を含む。移動電話３は、任意選択で、移動電話に関連付けられる能力情報を記憶すると共に、該能力情報を要求に応じて基地局に提供するための能力情報モジュール（図示せず）も備えることができる。
【００５０】
以下は、現在提案されている３ＧＰＰ ＬＴＥ標準規格において一実施形態を実施することができる方法の詳細な説明である。様々な特徴が、必須又は必要であるものとして説明されるが、これは提案されている３ＧＰＰ ＬＴＥ標準規格にのみ、例えば該標準規格によって課される他の要件に起因して当てはまる場合がある。したがって、これらの記述は、本発明をいかなる形においても限定するものとして解釈されるべきではない。
【００５１】
タイトル：ＬＴＥのための高速ＣＳサービスリダイレクション
序論
ＲＡＮ２＃６１において、Ｅ−ＵＴＲＡＮからＵＴＲＡＮ及びＧＥＲＡＮにサービスベースのリダイレクションを行う方法に関する幾つかの論考があった。この提案において、ＬＴＥにおける移動機発信ＣＳ呼及び移動機着信ＣＳ呼の双方に適用することができる、より高速なリダイレクション解決策を達成するための方法を提案する。
【００５２】
２  論考
後記の参考文献［１］のステージ３において、提案のサービスベースのリダイレクションが提案された。論考に役立つように、参考文献［１］によるシグナリング手順の詳細をセクション２．１において要約する。
【００５３】
２．１ Ｅ−ＵＴＲＡＮからＵＴＲＡＮ／ＧＥＲＡＮへのサービスベースのリダイレクション手順
図３は、Ｅ−ＵＴＲＡＮからＵＴＲＡＮ／ＧＥＲＡＮ ＣＳドメインへのサービスベースのリダイレクション手順を示している。
１．Ｅ−ＵＴＲＡＮセルに留まっているＵＥがＲＲＣ接続要求メッセージをｅＮＢに送信する。
２．ＲＲＣ接続要求メッセージを受信したｅＮＢは、ＲＲＣ接続セットアップメッセージをＵＥに送信する。ｅＮＢは、ＩＥ”確立理由”から、ＵＥによって要求されたサービスを確定することができる。
３．ＲＲＣ接続セットアップメッセージを受信したＵＥは、サービス要求メッセージを含むＲＲＣ接続セットアップ完了メッセージをｅＮＢに送信する。
４．ＲＲＣ接続セットアップ完了メッセージを受信したｅＮＢは、初期ＵＥメッセージをＭＭＥに送信する。
５．初期ＵＥメッセージを受信したＭＭＥは、ＵＥ能力を含む初期コンテキストセットアップ要求メッセージをｅＮＢに送信する。ｅＮＢは、ベアラレベルＱｏＳパラメータから、ＵＥに提供されるサービスを確定することができる。
６．ｅＮＢは、ＵＥ能力及びＵＥに提供されるサービスから、リダイレクションが必要であるか否かを判断する。ｅＮＢは、リダイレクションが必要であると判定した場合、必要なリダイレクション情報を含むＲＲＣ接続解放メッセージをＵＥに送信する。
７．ｅＮＢは、ステップ６においてリダイレクションが必要であると判定した場合、ＵＥコンテキスト解放要求をＭＭＥに送信する。
８．ＵＥはｅＮＢからＲＲＣ接続解放を受信し、リダイレクトされたＵＴＲＡＮ周波数に対してセル選択を実施し、システム情報を取得する。手順を容易にするために、ターゲットセルに関するシステム情報の一部分がステップ６においてソースＥ−ＵＴＲＡＮセルからＵＥに送信される（ＮＡＣＣ）場合、さらに検討を要する（FFS）。ＧＥＲＡＮとの相互作用に関して、ＮＡＣＣ機能を再利用して、リダイレクションを伴うＲＲＣ接続解放手順を、ターゲットＧＥＲＡＮセルのシステム情報を含むように向上させることが提案される。
９．ＵＥは、セル選択を完了し、関連システム情報（ＧＥＲＡＮに関して、関連システム情報は、ｅＮＢにおいてＮＡＣＣによって既に利用可能である）を取得した後、ＲＲＣ接続要求メッセージをＲＮＣ／ＢＳＣに送信する。
１０．ＲＲＣ接続要求メッセージを受信したＲＮＣ／ＢＳＣは、ＲＲＣ接続セットアップメッセージをＵＥに送信する。
１１．ＲＲＣ接続セットアップメッセージを受信したＵＥは、ＲＲＣ接続セットアップ完了メッセージをＲＮＣ／ＢＳＣに送信する。
１２．ＵＥがＵＴＲＡＮ ＣＳドメインへのアタッチを完了していない場合、ＵＥはアタッチ手順を実施する。
１３．ＵＥは、ＵＥとＮＷノードとの間のＣＭセットアップ及び無線ベアラセットアップをさらに実施する。
【００５４】
図３は、Ｅ−ＵＴＲＡＮからＵＴＲＡＮ ＣＳドメインへのサービスベースのリダイレクション手順（ＧＥＲＡＮ ＣＳドメインの場合と同様である）を示している。
【００５５】
２．２   ２．１における現在の提案の不都合な点
呼をリダイレクトするために、まずＲＲＣ接続確立手順が完了し、その後ＭＭＥにおいてサービスコンテキストセットアップを行い、ＵＥ能力を含むサービスコンテキストをｅＮＢに転送し、次にｅＮＢがＲＲＣ接続解放手順によって呼をリダイレクトするということに起因して、不必要な遅延が生じる。この手順を、以下に提案するように単純化及び高速化することができると考える。
【００５６】
２．３ Ｅ−ＵＴＲＡＮからＵＴＲＡＮ／ＧＥＲＡＮへのより高速なＣＳサービスリダイレクション手順
提案Ａ：ＭＭＥからＵＥ能力を取得
リダイレクション時間を短縮するための単純な解決策が図４に示されている。この方法は、ＭＯ ＣＳ呼及びＭＴ ＣＳ呼の双方に適用することができる。
【００５７】
これらの手順間の差異は、ＵＥが、ＲＲＣ接続確立中に、ｅＮＢに対し、ＲＲＣ接続要求メッセージにおいて、確立理由を”ＭＯ ＣＳ呼”又は要因”ＭＴ ＣＳ呼”として示すように命令されることである。ＲＲＣ接続要求は、ＩＲＡＴ ＵＥ能力をダウンロードするためのＭＭＥを特定するのに使用される有効なＳ−ＴＭＳＩを含む。
【００５８】
ｅＮＢは、新たに提案されるＳ１ ＵＥ能力要求手順を使用してＵＥ能力をダウンロードすることができる。ｅＮＢは、受信したＩＲＡＴ ＵＥ能力に基づいて、ＲＲＣ接続拒否メッセージを通じてＵＥを適切なＲＡＴにリダイレクトすることができる。
【００５９】
参考文献［１］において提案されるように、ＲＲＣ接続拒否メッセージのためのさらなるＩＥを使用することができ、それに従ってＵＥの動作を指定することができる。
【００６０】
提案Ｂ：ＵＥからＵＥ能力を取得
提案Ａと同様に、ＵＥは、ＲＲＣ接続確立中に、ｅＮＢに対し、ＲＲＣ接続要求メッセージ内で、確立理由を”ＭＯ ＣＳ呼”又は要因”ＭＴ ＣＳ呼”として示すように命令される。ＲＲＣ接続セットアップにおいて、ＩＥを使用して、ＵＥにＵＥ ＲＡＴ間能力を送信するように示す。このＩＥが設定されている場合、ＵＥはＲＲＣ接続セットアップ完了においてＲＡＴ間ＵＥ能力を含めなくてはならない。
【００６１】
ｅＮＢは、ＲＲＣ接続セットアップ完了を受信すると、ＵＥ能力を確定すると共に、参考文献［１］において記述されるような必要なリダイレクションパラメータを含むＲＲＣ接続解放メッセージを送信することによってＵＥをリダイレクトすることができる。この手順の一実施形態が図５に示されている。
【００６２】
３  結論
単純化された、より高速なサービスベースのリダイレクション手順が論考された。提案されるメカニズムのうちのいずれかをＣＳサービスのリダイレクションに採用することを提案する。
【００６３】
提案Ａ
１：ＲＲＣ接続要求においてＵＥによって提供されるＳ−ＴＭＳＩを使用してＵＥ能力をダウンロードするためのＳ１インタフェースに関する新たな手順を定義する。
２：リダイレクションをＲＲＣ接続拒否手順を使用して実行する。
【００６４】
提案Ｂ
１：ＲＲＣ接続セットアップ完了においてＵＥに自身のＲＡＴ間能力を送信することを要求するための新たなＩＥをＲＲＣ接続セットアップメッセージ内に導入する。
２：ＲＡＴ間能力をｅＮＢに送出するための新たなＩＥをＲＲＣ接続セットアップ完了メッセージ内に導入する。
３：ＲＲＣ接続拒絶手順を使用してリダイレクションを実行する。
【００６５】
より高速なリダイレクション及びＣＳフォールバック機能の効率的なサポートのために、ＲＡＮ２がリダイレクション手順を採用することを要請する。
【００６６】
参考文献
［１］R2-080922 "A Solution for Service-Based redirection", NTT DoCoMo, T-Mobile
【００６７】
３ＧＰＰ用語の用語集
ＬＴＥ − （ＵＴＲＡＮの）ロングタームエボリューション
Ｅ−ＵＴＲＡＮ − 進化型ＵＴＲＡＮ
ｅＮｏｄｅＢ − Ｅ−ＵＴＲＡＮノードＢ
ＡＧＷ − アクセスゲートウェイ
ＵＥ − ユーザ機器 − 移動通信デバイス
ＤＬ − ダウンリンク − 基地局から移動局へのリンク
ＵＬ − アップリンク − 移動局から基地局へのリンク
ＡＭ − 確認モード（Acknowledge Mode）
ＵＭ − 非確認モード（Unacknowledge Mode）
ＭＭＥ − 移動管理エンティティ
ＵＰＥ − ユーザプレーンエンティティ
ＣＮ − コアネットワーク
ＨＯ − ハンドオーバ
ＲＡＮ − 無線アクセスネットワーク
ＲＡＮＡＰ − 無線アクセスネットワークアプリケーションプロトコル
ＲＬＣ − 無線リンク制御
ＲＮＣ − 無線ネットワークコントローラ
ＲＲＣ − 無線資源制御
ＲＲＭ − 無線資源管理
ＳＤＵ − サービスデータユニット
ＳＲＮＣ − サービング無線ネットワークコントローラ
ＰＤＵ − プロトコルデータユニット
ＮＡＳ − 非アクセス層（Non Access Stratum）
ＲＯＨＣ − ロバストヘッダ圧縮
ＴＡ − 追跡エリア
Ｕプレーン又はＵＰ − ユーザプレーン
ＴＮＬ − トランスポートネットワーク層
Ｓ１インタフェース − アクセスゲートウェイとｅＮｏｄｅＢとの間のインタフェース
Ｘ２インタフェース − ２つのｅＮｏｄｅＢ間のインタフェース
ＭＭＥ／ＳＡＥゲートウェイ − ＭＭＥエンティティ及びＵＰＥエンティティの双方を有するアクセスゲートウェイ
ＭＯ − 移動機発信
ＭＴ − 移動機着信
ＴＭＳＩ−一次的な移動加入者（又は局）識別子（又はアイデンティティ）
Ｉ−ＲＡＴ − 無線アクセス技術間
ＩＥ − 識別子
ＣＳ − 回路交換
ＧＥＲＡＮ − ＧＳＭエッジ無線アクセスネットワーク
【図１】
2011517513.tif 000003
【図２】
2011517513.tif 000004
【図３】
2011517513.tif 000005
【図４】
2011517513.tif 000006
【図５】
2011517513.tif 000007
【図６】
2011517513.tif 000008
【図７】
2011517513.tif 000009
【手続補正書】
【提出日】平成23年1月7日(2011.1.7)
【手続補正１】
【補正対象書類名】特許請求の範囲
【補正対象項目名】全文
【補正方法】変更
【補正の内容】
【特許請求の範囲】
【請求項１】
通信ネットワークへの接続を要求するユーザ装置からの接続要求を受理するか否かを判断する方法であって、
前記ユーザ装置から、所定の識別子を含む接続要求を受信すること、
前記ユーザ装置に関連付けられる能力情報を要求するメッセージを生成すること、
前記ユーザ装置に関連付けられる能力情報を要求する前記メッセージを送信すること、
前記ユーザ装置に関連付けられる前記能力情報を受信すること、
前記能力情報に基づいて、前記ユーザ装置への接続を許可するか否かを判断すること、及び、
前記接続を許可するか否かの判断に基づいて、前記接続を解放若しくは拒絶するか、又は前記接続を確立するためのメッセージを送信すること、
を含む、方法。
【請求項２】
前記能力情報を要求する前記メッセージは、接続セットアップメッセージが前記ユーザ装置に送信される前に送信される、請求項１に記載の方法。
【請求項３】
前記能力情報を要求する前記メッセージを送信することは、該メッセージを前記通信ネットワーク内のゲートウェイ構成要素に送信することを含む、請求項１又は２に記載の方法。
【請求項４】
前記能力情報を要求する前記メッセージを送信することは、該能力情報の要求を組み込んだ接続セットアップメッセージを生成すること、及び該接続セットアップメッセージを前記ユーザ装置に送信することを含む、請求項１に記載の方法。
【請求項５】
前記ユーザ装置への接続を許可するか否かを判断することは、確立された前記ユーザ装置への接続を解放するか否かを判断することを含む、請求項４に記載の方法。
【請求項６】
前記ユーザ装置に関連付けられる前記能力情報に基づいて、該ユーザ装置が接続すべき代替の通信ネットワークを決定することをさらに含む、請求項１〜５のいずれか一項に記載の方法。
【請求項７】
前記代替の通信ネットワークへの接続ポイントの識別子を前記ユーザ装置に送信することをさらに含む、請求項６に記載の方法。
【請求項８】
前記接続を確立するためのメッセージを送信することは、接続セットアップメッセージを前記ユーザ装置に送信することを含む、請求項１〜７のいずれか一項に記載の方法。
【請求項９】
前記接続を確立するためのメッセージを送信することは、接続セットアップメッセージを前記通信ネットワーク内のゲートウェイ構成要素に送信することを含む、請求項１〜７のいずれか一項に記載の方法。
【請求項１０】
前記ユーザ装置への接続を許可するか否かを判断することは、該ユーザ装置への該接続の前記確立を完了するか否かを判断することを含む、請求項１〜９のいずれか一項に記載の方法。
【請求項１１】
前記ユーザ装置への接続を許可するか否かを判断することは、
前記ユーザ装置が前記通信ネットワークに接続することが可能であるか否かを判断すること、
前記ユーザ装置が前記通信ネットワークに接続することを許可されるか否かを判断すること、及び
前記通信ネットワークが、前記ユーザ装置によって要求されたサービスを提供するか否かを判断すること、
のうちの少なくとも１つを含む、請求項１〜１０のいずれか一項に記載の方法。
【請求項１２】
前記所定の識別子は、接続要求メッセージを請求項１に記載の方法に従って処理すべきであることを示す識別子を含む、請求項１〜１１のいずれか一項に記載の方法。
【請求項１３】
前記所定の識別子は、接続要求メッセージが所定の確立理由に関連することを示す識別子を含む、請求項１〜１２のいずれか一項に記載の方法。
【請求項１４】
前記確立理由は、回路交換呼として、移動機発信回路交換呼又は移動機着信回路交換呼を含む、請求項１３に記載の方法。
【請求項１５】
通信ネットワークにおいて、ユーザ装置からの接続要求を受理するか否かを判断するように動作可能な基地局であって、
前記ユーザ装置から、所定の識別子を含む接続要求を受信する手段と、
前記ユーザ装置に関連付けられる能力情報を要求するメッセージを生成する手段と、
前記ユーザ装置に関連付けられる能力情報を要求する前記メッセージを送信する手段と、
前記ユーザ装置に関連付けられる前記能力情報を受信する手段と、
前記能力情報に基づいて、前記ユーザ装置への接続を許可するか否かを判断する手段と、
前記接続を許可するか否かの判断に基づいて、前記接続を解放若しくは拒絶するか、又は前記接続を確立するためのメッセージを送信する手段と、
を備える、基地局。
【請求項１６】
前記能力情報を要求する前記メッセージは、接続セットアップメッセージが前記ユーザ装置に送信される前に送信される、請求項１５に記載の基地局。
【請求項１７】
前記能力情報を要求する前記メッセージを送信する手段は、該メッセージを前記通信ネットワーク内のゲートウェイ構成要素に送信する手段を含む、請求項１５又は１６に記載の基地局。
【請求項１８】
前記能力情報を要求する前記メッセージを送信する手段は、該能力情報の要求を組み込んだ接続セットアップメッセージを生成する手段と、該接続セットアップメッセージを前記ユーザ装置に送信する手段とを含む、請求項１５に記載の基地局。
【請求項１９】
前記ユーザ装置への接続を許可するか否かを判断する手段は、確立された前記ユーザ装置への接続を解放するか否かを判断する手段を含む、請求項１８に記載の基地局。
【請求項２０】
前記ユーザ装置に関連付けられる前記能力情報に基づいて、該ユーザ装置が接続すべき代替の通信ネットワークを決定する手段をさらに備える、請求項１５〜１９のいずれか一項に記載の基地局。
【請求項２１】
前記代替の通信ネットワークへの接続ポイントの識別子を前記ユーザ装置に送信する手段をさらに含む、請求項２０に記載の基地局。
【請求項２２】
前記接続を確立するためのメッセージを送信する手段は、接続セットアップメッセージを前記ユーザ装置に送信する手段を含む、請求項１５〜２１のいずれか一項に記載の基地局。
【請求項２３】
前記接続を確立するためのメッセージを送信する手段は、接続セットアップメッセージを前記通信ネットワーク内のゲートウェイ構成要素に送信する手段を含む、請求項１５〜２１のいずれか一項に記載の基地局。
【請求項２４】
前記ユーザ装置への接続を許可するか否かを判断する手段は、該ユーザ装置への該接続の前記確立を完了するか否かを判断する手段を含む、請求項１５〜２３のいずれか一項に記載の基地局。
【請求項２５】
前記ユーザ装置への接続を許可するか否かを判断する手段は、
前記ユーザ装置が前記通信ネットワークに接続することが可能であるか否かを判断する手段と、
前記ユーザ装置が前記通信ネットワークに接続することを許可されるか否かを判断する手段と、
前記通信ネットワークが、前記ユーザ装置によって要求されたサービスを提供するか否かを判断する手段と、
のうちの少なくとも１つを含む、請求項１５〜２４のいずれか一項に記載の基地局。
【請求項２６】
前記所定の識別子は、接続要求メッセージを請求項１に記載の方法に従って処理すべきであることを示す識別子を含む、請求項１５〜２５のいずれか一項に記載の基地局。
【請求項２７】
前記所定の識別子は、接続要求メッセージが所定の確立理由に関連することを示す識別子を含む、請求項１５〜２６のいずれか一項に記載の基地局。
【請求項２８】
前記確立理由は、回路交換呼として、移動機発信回路交換呼又は移動機着信回路交換呼を含む、請求項２７に記載の基地局。
【請求項２９】
通信ネットワークにおいて、ユーザ装置からの接続要求を受理するか否かを判断するように動作可能な基地局であって、
前記ユーザ装置から、所定の識別子を含む接続要求を受信する受信機と、
前記ユーザ装置に関連付けられる能力情報を要求するメッセージを生成するプロセッサと、
前記ユーザ装置に関連付けられる能力情報を要求する前記メッセージを送信する送信機と、
前記ユーザ装置に関連付けられる前記能力情報を受信する受信機と、
前記能力情報に基づいて、前記ユーザ装置への接続を許可するか否かを判断するプロセッサと、
前記接続を許可するか否かの判断に基づいて、前記接続を解放若しくは拒絶するか、又は前記接続を確立するためのメッセージを送信する送信機と、
を備える、基地局。
【請求項３０】
通信ネットワークにおいて、ユーザ装置から基地局への接続の確立を要求する方法であって、
接続要求メッセージとして、前記基地局を介して前記通信ネットワークに接続するという要求と、該接続要求メッセージが所定の確立理由に関連することを示す識別子とを含む、接続要求メッセージを生成すること、及び
前記通信ネットワークにおいて、前記接続要求メッセージを前記基地局に送信すること、
を含む、方法。
【請求項３１】
前記確立理由は、回路交換呼として、移動機発信回路交換呼又は移動機着信回路交換呼を含む、請求項３０に記載の方法。
【請求項３２】
前記基地局から能力情報の要求を受信すること、
前記ユーザ装置に関連付けられる前記能力情報を取り出すこと、及び
前記能力情報を前記基地局に送信すること、
をさらに含む、請求項３０又は３１に記載の方法。
【請求項３３】
前記基地局から接続解放メッセージを受信することをさらに含む、請求項３０〜３２のいずれか一項に記載の方法。
【請求項３４】
前記接続解放メッセージから、前記ユーザ装置が接続すべき代替の通信ネットワークの識別子を抽出することをさらに含む、請求項３３に記載の方法。
【請求項３５】
前記接続解放メッセージは、前記ユーザ装置が接続すべき前記代替の通信ネットワークへの接続ポイントの識別子を含む、請求項３４に記載の方法。
【請求項３６】
前記代替の通信ネットワークへの接続を要求することをさらに含む、請求項３４又は３５に記載の方法。
【請求項３７】
通信ネットワークにおいて、基地局への接続の確立を要求するように動作可能なユーザ装置であって、
接続要求メッセージとして、前記基地局を介して前記通信ネットワークに接続するという要求と、該接続要求メッセージが所定の確立理由に関連することを示す識別子とを含む、接続要求メッセージを生成する手段と、
前記通信ネットワークにおいて、前記接続要求メッセージを前記基地局に送信する手段と、
を備える、ユーザ装置。
【請求項３８】
前記確立理由は、回路交換呼として、移動機発信回路交換呼又は移動機着信回路交換呼を含む、請求項３７に記載のユーザ装置。
【請求項３９】
前記基地局から能力情報の要求を受信する手段と、
前記ユーザ装置に関連付けられる前記能力情報を取り出す手段と、
前記能力情報を前記基地局に送信する手段と、
をさらに備える、請求項３７又は３８に記載のユーザ装置。
【請求項４０】
前記基地局から接続解放メッセージを受信する手段をさらに備える、請求項３７〜３９のいずれか一項に記載のユーザ装置。
【請求項４１】
前記接続解放メッセージから、前記ユーザ装置が接続すべき代替の通信ネットワークの識別子を抽出する手段をさらに備える、請求項４０に記載のユーザ装置。
【請求項４２】
前記接続解放メッセージから、前記ユーザ装置が接続すべき代替の通信ネットワークへの接続ポイントの識別子を抽出する手段をさらに備える、請求項４０に記載のユーザ装置。
【請求項４３】
前記代替の通信ネットワークへの接続を要求する手段をさらに備える、請求項４１又は４２に記載のユーザ装置。
【請求項４４】
通信ネットワークにおいて、基地局への接続の確立を要求するように動作可能なユーザ装置であって、
接続要求メッセージとして、前記基地局を介して前記通信ネットワークに接続するという要求と、該接続要求メッセージが所定の確立理由に関連することを示す識別子とを含む、接続要求メッセージを生成するプロセッサと、
前記通信ネットワークにおいて、前記接続要求メッセージを前記基地局に送信する送信機と、
を備える、ユーザ装置。
【請求項４５】
通信ネットワークにおいて、ユーザ装置に関する能力情報を提供する方法であって、
基地局から、前記ユーザ装置に関連付けられる前記能力情報の要求を受信すること、
前記ユーザ装置に関連付けられる前記能力情報を取得すること、及び
前記ユーザ装置に関連付けられる前記能力情報を前記基地局に送信すること、
を含む、方法。
【請求項４６】
前記基地局から、前記ユーザ装置への接続の確立を要求する接続要求メッセージを受信することをさらに含む、請求項４５に記載の方法。
【請求項４７】
前記能力情報の要求は、初期ＵＥメッセージの一部分を形成しない、請求項４５又は４６に記載の方法。
【請求項４８】
通信ネットワークにおいて、ユーザ装置に関する能力情報を提供するゲートウェイ構成要素であって、
基地局から、前記ユーザ装置に関連付けられる前記能力情報の要求を受信する手段と、
前記ユーザ装置に関連付けられる前記能力情報を取得する手段と、
前記ユーザ装置に関連付けられる前記能力情報を前記基地局に送信する手段と、
を備える、ゲートウェイ構成要素。
【請求項４９】
通信ネットワークにおいて、ユーザ装置に関する能力情報を提供するゲートウェイ構成要素であって、
基地局から、前記ユーザ装置に関連付けられる前記能力情報の要求を受信する受信機と、
前記ユーザ装置に関連付けられる前記能力情報を取得するプロセッサと、
前記ユーザ装置に関連付けられる前記能力情報を前記基地局に送信する送信機と、
を備える、ゲートウェイ構成要素。
【手続補正２】
【補正対象書類名】明細書
【補正対象項目名】００２５
【補正方法】変更
【補正の内容】
【００２５】
リダイレクションが必要である場合、ｅＮＢ３１２は、リダイレクション情報を含むＲＲＣ接続解放メッセージをＵＥ３１０に送信する。リダイレクション情報は、例えば、ＵＥが要求したサービスを得るために接続すべきＵＴＲＡＮネットワークの周波数である。
【手続補正３】
【補正対象書類名】明細書
【補正対象項目名】００３４
【補正方法】変更
【補正の内容】
【００３４】
図４は、サービスリダイレクションのための代替的なプロセスの１つの実施形態を示している。この実施形態では、ｅＮＢ３１２は、ＵＥ３１０からＲＲＣ接続要求メッセージを受信すると、ＵＥ能力要求メッセージをＭＭＥ３１４に送信する。ｅＮＢ３１２は、ＭＭＥ３１４からＵＥ能力応答メッセージを受信し、該ＵＥ能力応答メッセージから、ＵＥ３１０によって要求されたサービスがそのネットワークから最も良好に提供されるか、又は別のネットワークに対するリダイレクションが好ましいかを判断することができる。
【手続補正４】
【補正対象書類名】図面
【補正対象項目名】図３
【補正方法】変更
【補正の内容】
【図３】
2011517513.tif 000010
【手続補正５】
【補正対象書類名】図面
【補正対象項目名】図４
【補正方法】変更
【補正の内容】
【図４】
2011517513.tif 000011
【国際調査報告】
2011517513.tif 000012
2011517513.tif 000013
2011517513.tif 000014